(57)【要約】【課題】  解像度やコントラスト等の画質が良好な透過型スクリーンを得易い光拡散部材、及び透過型スクリーンを提供する。【解決手段】  一方の面に多数の凸シリンドリカルレンズ５が形成されているシート状のレンチキュラーレンズ１０の他方の面１０ａ上に多数の遮光部１５がストライプ状に配置され、隣り合う遮光部１５同士の間それぞれを埋めるようにして少なくとも１つの光透過層２５が形成されている光拡散部材３０を構成するにあたって、式 ０＜Ｈ＜（Ｐｃ−Ｗ２）／[２・tan(sin−１(１／ｎｔ))］（式中の記号Ｐｃ は隣り合う凸シリンドリカルレンズ５同士のピッチを表し、記号Ｗ２ は遮光部におけるレンチキュラーレンズとは反対側の面での幅を表し、記号Ｈは遮光部の厚さを表す。）を成り立たせることによって、上記の課題を解決した。【選択図】    図２
2006309150.tif 000002
【特許請求の範囲】
【請求項１】
一方の面に多数の凸シリンドリカルレンズが一定のピッチＰｃ で平行に形成されているシート状のレンチキュラーレンズと、該レンチキュラーレンズの他方の面にストライプ状に配置された多数の遮光部からなる遮光パターンと、隣り合う遮光部の間を埋めるようにして前記レンチキュラーレンズの他方の面に形成された少なくとも１つの光透過層とを有する光拡散部材であって、
前記遮光部は、前記凸シリンドリカルレンズの光軸と平行な光が前記一方の面側から前記レンチキュラーレンズ内に入射したときの光路外に配置されており、
前記遮光部の厚さをＨとし、該遮光部における前記レンチキュラーレンズ側の面での幅をＷ１ とし、該遮光部における前記レンチキュラーレンズとは反対側の面での幅をＷ２ とし、前記光透過層の屈折率をｎｔ としたときに、下式（Ｉ）が成り立つことを特徴とする光拡散部材。
【数１】
2006309150.tif 000025
【請求項２】
前記凸シリンドリカルレンズの屈折率をｎｃ とし、該凸シリンドリカルレンズの幅方向の端での接平面の傾斜角をαとしたときに、下式（II）が成り立つことを特徴とする請求項１に記載の光拡散部材。
【数２】
2006309150.tif 000026
【請求項３】
前記一方の面側から前記凸シリンドリカルレンズの光軸近傍に入射した光の集光点が前記他方の面の外側にあり、前記一方の面側から前記凸シリンドリカルレンズの幅方向の端に入射した光の集光点が前記レンチキュラーレンズの他方の面にあることを特徴とする請求項１又は２に記載の光拡散部材。
【請求項４】
前記幅Ｗ２ の値が前記幅Ｗ１ の値よりも小さいことを特徴とする請求項１〜３のいずれか１項に記載の光拡散部材。
【請求項５】
前記光透過層に光拡散材が分散していることを特徴とする請求項１〜４のいずれか１項に記載の光拡散部材。
【請求項６】
前記光透過層上に支持板が設けられていることを特徴とする請求項１〜５のいずれか１項に記載の光拡散部材。
【請求項７】
前記光透過層上又は前記支持板上に、帯電防止層、反射防止層及び防眩層のうち少なくとも１つが設けられていることを特徴とする請求項１〜６のいずれか１項に記載の光拡散部材。
【請求項８】
請求項１〜７のいずれか１項に記載の光拡散部材と、フレネルレンズシートとを備えたことを特徴とする透過型スクリーン。
【請求項９】
一方の面に多数の単位凸レンズが縦横にそれぞれ一定の縦ピッチＰV及び横ピッチＰHで形成されているシート状のハエの目レンズと、該ハエの目レンズの他方の面に格子状に配置された多数の遮光部からなる遮光パターンと、隣り合う遮光部の間を埋めるようにして前記ハエの目レンズの他方の面に形成された少なくとも１つの光透過層とを有する光拡散部材であって、
前記遮光部は、前記単位凸レンズの光軸と平行な光が前記一方の面側から前記ハエの目レンズ内に入射したときの光路外に配置されており、
前記遮光部の厚さをＨとし、該遮光部における前記ハエの目レンズ側の面での縦幅をＷ1V、横幅をＷ1H とし、該遮光部における前記ハエの目レンズとは反対側の面での縦幅をＷ2V、横幅を幅Ｗ2H とし、前記光透過層の屈折率をｎｔ としたときに、下式（III）、（IV）が成り立つことを特徴とする光拡散部材。
【数３】
2006309150.tif 000027
【数４】
2006309150.tif 000028
【請求項１０】
前記単位凸レンズの屈折率をｎｃ とし、該単位凸レンズの幅方向及び垂直方向の端での接平面の傾斜角をαとしたときに、下式（II）が成り立つことを特徴とする請求項９に記載の光拡散部材。
【数５】
2006309150.tif 000029
【請求項１１】
前記一方の面側から前記単位凸レンズの光軸近傍に入射した光の集光点が前記他方の面の外側にあり、前記一方の面側から前記単位凸レンズの少なくとも幅方向の端に入射した光の集光点が前記単位凸レンズの他方の面にあることを特徴とする請求項９又は１０に記載の光拡散部材。
【請求項１２】
前記幅Ｗ２V の値が前記幅Ｗ１V の値よりも小さく、前記幅Ｗ２H の値が前記幅Ｗ１H の値よりも小さいことを特徴とする請求項９〜１１のいずれか１項に記載の光拡散部材。
【請求項１３】
前記光透過層に光拡散材が分散していることを特徴とする請求項９〜１２のいずれか１項に記載の光拡散部材。
【請求項１４】
前記光透過層上に支持板が設けられていることを特徴とする請求項９〜１３のいずれか１項に記載の光拡散部材。
【請求項１５】
前記光透過層上又は前記支持板上に、帯電防止層、反射防止層、防眩層のうち少なくとも１つが設けられていることを特徴とする請求項９〜１４のいずれか１項に記載の光拡散部材。
【請求項１６】
請求項９〜１５のいずれか１項に記載の光拡散部材と、フレネルレンズシートとを備えたことを特徴とする透過型スクリーン。
【発明の詳細な説明】
【技術分野】
【０００１】
本発明は、光拡散部材及び透過型スクリーンに関し、更に詳しくは、一方の面に多数の凸シリンドリカルレンズが形成されているシート状のレンチキュラーレンズと、このレンチキュラーレンズの他方の面に形成された遮光パターン及び光透過層とを有する光拡散部材、及びその光拡散部材を有する透過型スクリーンに関する。
【背景技術】
【０００２】
今日では、液晶ディスプレイ、投射型ディスプレイ、プラズマディスプレイ等の大画面ディスプレイが一般家庭にまで普及している。大画面のディスプレイは、複数人で映像（画像）を見ることを想定して購入される場合が多く、複数人で映像（画像）を見たときでも各人が高画質の映像を楽しめるように、高い視野角特性が求められる。このため、特に背面投射型ディスプレイでは、水平方向（画面の左右方向を意味する。以下同じ。）の視野角特性を向上させるために、光拡散部材を備えた透過型スクリーンが用いられる。
【０００３】
透過型スクリーンに利用される光拡散部材としては種々のものが提案されているが、その中の１つとして、一方の面に多数の凸シリンドリカルレンズが一定のピッチで形成されているシート状のレンチキュラーレンズと、このレンチキュラーレンズの他方の面に形成された遮光パターン及び光透過層とを有するタイプの光拡散部材がある。
【０００４】
なお、凸シリンドリカルレンズとは、屈折面が凸面に成形されているシリンドリカルレンズのことであり、また、レンチキュラーレンズの他方の面とは、一方の面に多数の凸シリンドリカルレンズが形成されているシート状のレンチキュラーレンズにおいて、凸シリンドリカルレンズの屈折面が形成されている側の面の反対面のことである。
【０００５】
光拡散部材は、凸シリンドリカルレンズの屈折面に入射した略平行光（平行光を含む）を各凸シリンドリカルレンズの配列方向に拡散させるものである。したがって、この光拡散部材とフレネルレンズとを組み合わせることにより、視野角特性が良好な透過型スクリーンを得ることができる。
【０００６】
フレネルレンズは、背面投射型ディスプレイの投射光学系内において、光拡散部材よりも映像光源側に配置されて、発散光の状態で投射されてくる映像光を略平行光に変換して光拡散部材に入射させる。また、光拡散部材は、各凸シリンドリカルレンズの長手方向が垂直方向（画面の上下方向のこと。以下同じ。）となり、かつ、各凸シリンドリカルレンズの屈折面がフレネルレンズ側となる向きで配置され、フレネルレンズで略平行光に変換された映像光を各凸シリンドリカルレンズの配列方向に拡散させて、背面投射型ディスプレイの水平方向（画面の左右方向のこと。以下同じ。）の視野角特性を向上させる。そして、遮光パターンは透過型スクリーンへの外光の映り込みを防止して、映像のコントラストを良好にする。
【０００７】
例えば特許文献１には、上述のタイプの光拡散部材を用いて透過型スクリーンを構成したときの水平方向の視野角特性及び映像のコントラストをそれぞれ良好なものとするために、遮光パターンの開口率を特定の範囲に選定した透過型スクリーンが記載されている。また、同文献１には、垂直方向の視野角特性を向上させるために、レンチキュラーレンズ（レンチキュラーレンズシート）の他方の面上に拡散フィルムを設けた透過型スクリーンも記載されている。
【０００８】
水平方向及び垂直方向の視野角特性がそれぞれ良好で、映像のコントラストも良好な背面投射型ディスプレイを得るためには、同文献１に記載されているように、レンチキュラーレンズの他方の面上に遮光パターン及び拡散フィルムが設けられた構造を有する光拡散部材を用いて透過型スクリーンを構成することが望ましい。
【特許文献１】特開２００１−２１５６２２号公報（特許請求の範囲、及び図４（ｂ）参照）
【発明の開示】
【発明が解決しようとする課題】
【０００９】
しかしながら、特許文献１に記載されている透過型スクリーンでは、レンチキュラーレンズの他方の面上に拡散フィルムを設けたときに、当該拡散フィルムとその外側の媒質との界面で生じる光の屈折が考慮されることなく上記の開口率が選定されている。このため、同文献１に記載されている透過型スクリーンでは、レンチキュラーレンズの他方の面上に拡散フィルムを設けたときに、その拡散フィルムとその外側の媒質との界面で全反射が起こって迷光になる光であっても、遮光パターンに隣接する開口部を通過させることとなるので、その結果として、拡散フィルムとその外側の媒質との界面で全反射して発生する迷光が生じ易く、この迷光が不特定箇所から最終的に観察者側に出光することによって映像の画質（解像度、コントラスト）が低下し易い。
【００１０】
本発明は上記の事情に鑑みてなされたものであり、その目的は、解像度やコントラスト等の画質に優れた透過型スクリーンを得易い光拡散部材、及びその光拡散部材を有する透過型スクリーンを提供することにある。
【課題を解決するための手段】
【００１１】
上記目的を達成する本発明の第１態様に係る光拡散部材は、一方の面に多数の凸シリンドリカルレンズが一定のピッチＰｃ で平行に形成されているシート状のレンチキュラーレンズと、該レンチキュラーレンズの他方の面上にストライプ状に配置された多数の遮光部からなる遮光パターンと、隣り合う遮光部の間を埋めるようにして前記レンチキュラーレンズの他方の面上に形成された少なくとも１つの光透過層とを有する光拡散部材であって、前記遮光部は、前記凸シリンドリカルレンズの光軸と平行な光が前記一方の面側から前記レンチキュラーレンズ内に入射したときの光路外に配置されており、前記遮光部の厚さをＨとし、該遮光部における前記レンチキュラーレンズ側の面での幅をＷ１ とし、該遮光部における前記レンチキュラーレンズとは反対側の面での幅をＷ２ とし、前記光透過層の屈折率をｎｔ としたときに、下式（Ｉ）が成り立つことを特徴とする（以下、この光拡散部材を「光拡散部材ＩＡ」ということがある。）。
【００１２】
【数１】
2006309150.tif 000003
【００１３】
また、本発明の第２態様に係る光拡散部材は、上記第１態様を構成する凸シリンドリカルレンズをいわゆるハエの目レンズに置き換えた態様であり、一方の面に多数の単位凸レンズが縦横にそれぞれ一定の縦ピッチＰV及び横ピッチＰHで形成されているシート状のハエの目レンズと、該ハエの目レンズの他方の面に格子状に配置された多数の遮光部からなる遮光パターンと、隣り合う遮光部の間を埋めるようにして前記ハエの目レンズの他方の面に形成された少なくとも１つの光透過層とを有する光拡散部材であって、前記遮光部は、前記単位凸レンズの光軸と平行な光が前記一方の面側から前記ハエの目レンズ内に入射したときの光路外に配置されており、前記遮光部の厚さをＨとし、該遮光部における前記ハエの目レンズ側の面での縦幅をＷ1V、横幅をＷ1H とし、該遮光部における前記ハエの目レンズとは反対側の面での縦幅をＷ2V、横幅を幅Ｗ2H とし、前記光透過層の屈折率をｎｔ としたときに、下式（III）、（IV）が成り立つことを特徴とする（以下、この光拡散部材を「光拡散部材ＩＢ」ということがある。）。
【００１４】
【数３】
2006309150.tif 000004
【００１５】
【数４】
2006309150.tif 000005
【００１６】
ここで、「屈折率」とは、測定光の波長が５８８ｎｍであるときの屈折率を意味する。また、「遮光部の厚さ」とは、凸シリンドリカルレンズ又は単位凸レンズの屈折面に入射して当該凸シリンドリカルレンズ又は単位凸レンズによって集光される光の出射面を基準とした遮光部の高さ（厚さ）を意味する。第１態様でいうピッチＰｃ、厚さＨ及び幅Ｗ２、並びに第２態様でいうピッチＰＶ、ＰＨ、厚さＴ及び幅Ｗ2V、Ｗ2Hそれぞれの単位は、互いに同じであれば問わない。
【００１７】
本発明の光拡散部材ＩＡ，ＩＢによれば、上記の式（Ｉ）又は式（III）、（IV）が成り立つように構成したので、光透過層内で光の散乱が起こらない限り、レンチキュラーレンズ側又は単位凸レンズ側から光透過層に入射した光が光透過層とその外側の媒質との界面で全反射することが抑止される。さらに、上記の式（Ｉ）又は式（III）、（IV）が成り立つときには、光透過層内で光の散乱が起こらない限り、レンチキュラーレンズ側又は単位凸レンズ側から光透過層に入射した光のうちで前記界面で全反射しない実質的に全ての光が当該界面に達するように、遮光部の厚さＨが選定されたことになる。光拡散材を含む光透過層を設けた場合には、上記の界面での全反射を抑止することができないが、上記の式（Ｉ）又は式（III）、（IV）が成り立たないものに比べれば、上記の界面での全反射が抑えられる。これらの結果として、光拡散部材ＩＡ，ＩＢを用いた透過型スクリーンでは、レンチキュラーレンズ側又は単位凸レンズ側から入射した光が光透過層とその外側の媒質との界面で全反射して迷光となるのを抑えることが容易になる。したがって、この光拡散部材ＩＡ，ＩＢによれば、迷光の発生が抑制されるので、そうして発生した迷光が不特定箇所から観察者側に出光することを防ぐことができ、映像の画質（解像度とコントラスト。以下同じ。）のよい透過型スクリーンを得易くなる。
【００１８】
本発明の光拡散部材ＩＡ，ＩＢにおいては、前記凸シリンドリカルレンズ又は単位凸レンズの屈折率をｎｃ とし、該凸シリンドリカルレンズの幅方向の端又は単位凸レンズの幅方向及び縦方向の端での接平面の傾斜角をαとしたときに、下式（II）が成り立つ（以下、この光拡散部材を「光拡散部材IIA, IIB」ということがある。）ことが好ましい。
【００１９】
【数２】
2006309150.tif 000006
【００２０】
この光拡散部材IIA, IIBによれば、上記の式（II）が成り立つので、凸シリンドリカルレンズ又は単位凸レンズそれぞれの光軸と平行な光が当該凸シリンドリカルレンズ又は単位凸レンズの屈折面に入射したときに、レンチキュラーレンズ又はハエの目レンズと光透過層との界面での全反射、及び光透過部とその外側の媒質との界面での全反射がそれぞれ抑えられる。これらの結果として、凸シリンドリカルレンズ又は単位凸レンズそれぞれの屈折面に上記平行な光が入射したときの内部反射が抑えられる。したがって、光拡散部材IIA, IIBによれば、映像の画質が更に良好な透過型スクリーンを得易くなる。
【００２１】
本発明の光拡散部材ＩＡ，ＩＢ〜IIA, IIBにおいては、前記一方の面側から前記凸シリンドリカルレンズ又は単位凸レンズの光軸近傍に入射した光の集光点が前記他方の面の外側にあり、前記一方の面側から前記凸シリンドリカルレンズの幅方向の端又は単位凸レンズの幅方向及び縦方向の端に入射した光の集光点が前記レンチキュラーレンズ又はハエの目レンズの他方の面にある（以下、この光拡散部材を「光拡散部材IIIA, IIIB」 ということがある。）ことが好ましい。
【００２２】
この光拡散部材IIIA, IIIBによれば、凸シリンドリカルレンズ又は単位凸レンズの光軸近傍に入射した光の集光点と凸シリンドリカルレンズの幅方向の端又は単位凸レンズの幅方向及び縦方向の端に入射した光の集光点とが上記の関係にあるので、視野角特性が良好で、画面正面での映像の画質が更に良好な透過型スクリーンを得易くなる。
【００２３】
本発明の光拡散部材ＩＡ，ＩＢ〜IIIA, IIIBにおいては、前記幅Ｗ２ の値が前記幅Ｗ１ の値よりも小さい（以下、この光拡散部材を「光拡散部材IVA, IVB」ということがある。）ことが好ましい。
【００２４】
この光拡散部材IVA, IVBによれば、上記の式（Ｉ）又は式（III）（IV）が成り立つ状態のまま、レンチキュラーレンズ又はハエの目レンズの他方の面の面積に占める各遮光部の平面視上の総面積の割合を高めることが容易になるので、映像の画質が更に良好な透過型スクリーンを得易くなる。
【００２５】
本発明の光拡散部材ＩＡ，ＩＢ〜VIA, VIBにおいては、前記光透過層に光拡散材が分散している（以下、この光拡散部材を「光拡散部材VA, VB」ということがある。）ことが好ましい。
【００２６】
この光拡散部材VA, VBによれば、上記の光透過層に光拡散材が分散しているので、水平方向の視野角特性のみならず垂直方向の視野角特性も良好で、かつ、映像の画質が良好な透過型スクリーンを得ることが容易になる。
【００２７】
上記本発明の光拡散部材においては、前記光透過層上に支持板を設けることができる。この発明によれば、剛性（自立性）のある支持体を設けたので、透過型スクリーン用の光拡散部材として好ましく用いることができる。
【００２８】
上記本発明の光拡散部材においては、前記光透過層上、又は、その光透過層上に前記支持板が設けられている場合にはその支持板上に、帯電防止層、反射防止層及び防眩層のうち少なくとも１つが設けられていることが好ましい。
【００２９】
帯電防止層を有する本発明の光拡散部材によれば、表面への塵埃の付着が抑制され、結果として、清掃の頻度を低くしても光学特性を良好な状態に保ち易くなる。その結果、映像の画質が良好で、視野角特性がよく、実用性が高い透過型スクリーンを得ることが容易になる。また、反射防止層が設けられている本発明の光拡散部材によれば、外光の反射を抑えることができ、結果として、光拡散部材による拡散光に反射光が重畳されることが抑えられるので、映像の画質が良好な透過型スクリーンを得ることが更に容易になる。
【００３０】
本発明の透過型スクリーンは、上述した本発明の光拡散部材と、フレネルレンズシートとを備えたことを特徴とする。この発明によれば、映像の画質が良好な透過型スクリーンとなるので、投射型ディスプレイの性能、特に背面投射型ディスプレイの性能を向上させることができる。
【発明の効果】
【００３１】
以上説明したように、本発明の光拡散部材及び透過型スクリーンによれば、レンチキュラーレンズ側又はハエの目レンズ側から入射した光が光透過層とその外側の媒質との界面で全反射して迷光となるのを抑えることができるので、迷光の発生を抑制することができる。その結果、映像の画質（解像度とコントラスト）のよい透過型スクリーンを構成することができるので、投射型ディスプレイの性能、特に背面投射型ディスプレイの性能を向上させ易くなる。
【発明を実施するための最良の形態】
【００３２】
先ず、本発明の光拡散部材について、図面を参照して説明する。
【００３３】
（第１形態）
図１は、本発明の光拡散部材の基本構造を概略的に示す断面図である。図示の光拡散部材３０は、レンチキュラーレンズ１０と、レンチキュラーレンズ１０の他方の面１０ａに形成された遮光パターン２０と、レンチキュラーレンズ１０の他方の面１０ａに形成された１つの光透過層２５とを有している。以下、この光拡散部材３０を参照して、本発明の光拡散部材の基本構造及び特徴を説明する。
【００３４】
上記のレンチキュラーレンズ１０は、一方の面に多数のシリンドリカルレンズ５が一定のピッチＰｃ で互いに平行に形成されているシート状物である。光拡散部材３０を透過型スクリーンの材料として用いる場合には、液晶ライトバルブやデジタルミラーデバイスを用いたマトリックス映像源とのモアレを防止するという観点から、上記のピッチＰｃ を５０〜５００μｍ程度の範囲内で選定することが好ましく、５０〜３００μｍ程度の範囲内で選定することが更に好ましい。また、ピッチＰｃ は、マトリクス映像源のスクリーン上に投射された画素ピッチの１／４以下とすることが好ましい。レンチキュラーレンズ１０の最大厚さは、ピッチＰｃ により異なるが、通常は、ピッチＰｃ の１．０〜１．５倍程度の範囲内で適宜選定可能である。
【００３５】
画面正面での映像の画質のよい透過型スクリーンを得るためには、個々の凸シリンドリカルレンズ５は、一方の面である屈折面の側から光軸ＯＡ近傍に入射した光の集光点が幅方向端部に入射した光の集光点よりも遠い非球面レンズであることが好ましく、特に、光軸ＯＡ近傍に入射した上記光の集光点がレンチキュラーレンズ１０の外側にあり、幅方向の端に入射した上記光の集光点がレンチキュラーレンズ１０の他方の面１０ａと一致する非球面レンズであることが好ましい。
【００３６】
このようなレンチキュラーレンズ１０は、例えば、屈折率が１．４５〜１．６程度の透明樹脂を、押出成形や、紫外線の照射を伴う型成形等の方法によって所望形状に成形することによって得られる。実用性の高い光拡散部材を得るには、アクリル系樹脂、ポリカーボネート系樹脂、塩化ビニル系樹脂、スチレン系樹脂、セルロース系樹脂、シクロオレフィン系樹脂、アクリルスチレン共重合樹脂等の透明樹脂や、ウレタン系、エポキシ系、ポリエステル系等の紫外線硬化型樹脂によってレンチキュラーレンズ１０を形成することが好ましい。
【００３７】
遮光パターン２０は、多数の遮光部１５が一定のピッチＰｓ で互いに平行なストライプ状に配置されたものであり、個々の凸シリンドリカルレンズ５の光軸ＯＡの周囲に当該ＯＡを対称軸とする帯状の光透過部を画定している。遮光パターン２０での遮光部１５のピッチＰｓ とレンチキュラーレンズ１０での凸シリンドリカルレンズ５のピッチＰｃ とは、互いに同じ値である。
【００３８】
個々の遮光部１５での厚さＨはその全体に亘って実質的に一定であり、遮光部１５同士での厚さＨのバラツキも無視できるものである。この厚さＨは、１〜８０μｍ程度の範囲内で適宜選定可能である。また、各遮光部１５の幅は、レンチキュラーレンズ１０側の面からレンチキュラーレンズ１０とは反対側の面にかけて実質的に一定である。したがって、個々の遮光部１５におけるレンチキュラーレンズ１０側の面での幅をＷ１ 、レンチキュラーレンズ１０とは反対側の面での幅をＷ２ とすると、Ｗ１ ＝Ｗ２ という関係式が成り立つ。
【００３９】
これらの遮光部１５は、凸シリンドリカルレンズ５それぞれの光軸ＯＡと平行な光が前記の一方の面からレンチキュラーレンズ１０内に入射したときの光路外に配置されている。光拡散部材３０を用いて映像のコントラストが高い透過型スクリーンを得るには、少なくとも透過型スクリーンでの表示領域に対応する領域での他方の面１０ａの面積に占める各遮光部１５の平面視上の総面積の割合を４０〜９０％程度の範囲内で適宜選定することが好ましく、６０〜８５％程度の範囲内で適宜選定することが更に好ましい。上記の割合が６０％未満では映像のコントラストが低くなり易く、９０％を超えると、投射型ディスプレイに組み立てたときに、映像光の一部が遮光部１５によって遮られ易くなり、結果として、映像に斑が生じ易くなる。
【００４０】
このような遮光部１５は、例えば、黒色インキ、黒色トナー、黒色転写紙等を用いて、インクジェット法、静電印刷法、グラビア印刷法、オフセット印刷法、シルク印刷法等の通常の印刷法や、ワイピング法、転写法等の方法により形成することができる。また、レンチキュラーレンズ１０の他方の面１０ａ全体に黒色層を形成し、赤外光を照射して不要箇所の黒色層を選択的に加熱、飛散させることによっても、所望の位置に遮光部１５を形成することができる。遮光部１５の形成に先立って、例えば光触媒反応を利用して他方の面１０ａの濡れ性を選択的に変化させて、遮光部１５の原材料の濡れ性が高い領域を遮光パターン２０に対応した形状及び大きさで形成しておくと、各遮光部１５を所望の位置に形成し易くなる。
【００４１】
光透過層２５の機能としては、例えば、（１）レンチキュラーレンズ１０からの出射光を各凸シリンドリカルレンズ５の配列方向以外の方向にも拡散させるための光拡散機能、（２）前記と同じ光拡散機能を有する光拡散フィルムもしくは光拡散シートをレンチキュラーレンズ１０に接合するための透明接合剤層としての機能、（３）レンチキュラーレンズ１０を支持するための、剛性（自立性）を有する支持板をレンチキュラーレンズ１０に接合するための透明接合剤層としての機能、又は、（４）凸シリンドリカルレンズ５と平面視上直交又は斜行するシリンドリカルレンズを多数有するレンチキュラーレンズをレンチキュラーレンズ１０に接合するための透明接合剤層としての機能、を有していてもよい。本形態では、光透過層２５が透明接合剤層であるものとして、以下の説明を行う。
【００４２】
上記の透明接合剤層は、例えば、所定波長域の光を照射することによって硬化して透明樹脂となる光硬化性樹脂組成物や、電子線を照射することによって硬化して透明樹脂となる電子線硬化性樹脂組成物、あるいは、二液型の透明接着剤や、透明粘着剤等を原材料として用いて形成することができる。透明接合剤層である光透過層２５の膜厚及びその原材料の種類は、当該光透過層２５での可視光の全光線透過率が７０％程度以上となるように適宜選定することが好ましい。また、光拡散部材３０を用いた透過型スクリーンでの映像のコントラストを高めるために、可視光の全光線透過率が３０％以上となるように上記の原材料に黒色染料を添加したものを用いて光透過層２５を形成してもよい。
【００４３】
光拡散部材３０での光透過層２５は、レンチキュラーレンズ１０の他方の面１０ａ及び各遮光部１５の外表面を覆う１つの層であるが、隣り合う遮光部１５、１５同士の間に１つずつ、当該隣り合う遮光部１５、１５同士の間を埋めるようにして光透過層を形成してもよい。
【００４４】
本発明の光拡散部材は、既に説明したように、遮光部の厚さＨとし、遮光部におけるレンチキュラーレンズ側の面での幅をＷ１ とし、遮光部におけるレンチキュラーレンズとは反対側の面での幅をＷ２ とし、光透過層の屈折率をｎｔ としたときに、下式（Ｉ）が成り立つことを特徴とするものである。
【００４５】
【数３】
2006309150.tif 000007
【００４６】
したがって、図１に示した光拡散部材３０においても上記の式（Ｉ）が成り立つ。この式（Ｉ）を成り立たせることによって、レンチキュラーレンズ１０側から入射した光が光透過層２５とその外側の媒質との界面で全反射するのを抑えることが容易になり、結果として、光拡散部材３０を用いた透過型スクリーンでの迷光の発生も抑えることが容易になる。以下、上記の式（Ｉ）が成り立つときに光透過層２５とその外側の媒質との界面での全反射が抑えられる理由を、図２を参照して詳述する。
【００４７】
図２は、図１に示した光拡散部材３０での光路、特に凸シリンドリカルレンズ５の光軸ＯＡと平行な光が凸シリンドリカルレンズ５の屈折面側から入射したときの光路を概略的に示す断面図である。ただし、図２においては、光路を判り易くするためにハッチングを省略している。
【００４８】
同図に示すように、個々の凸シリンドリカルレンズ５は、屈折面側から光軸ＯＡと平行に当該光軸ＯＡの近傍に入射した光Ｌ１ 、Ｌ２ の集光点Ｆ１ がレンチキュラーレンズ１０の外側にあり、屈折面側から光軸ＯＡと平行に凸シリンドリカルレンズ５の幅方向の端に入射した光Ｌ３ 、Ｌ４ の集光点Ｆ２ がレンチキュラーレンズ１０の他方の面１０ａ上にある非球面レンズである。光透過層２５とその外側の媒質（図示の例では空気）との界面での全反射を抑えるには、光Ｌ３ 、Ｌ４ の光路を考慮することが特に重要である。
【００４９】
これらの光Ｌ３ 、Ｌ４ は、凸シリンドリカルレンズ５とその外側の媒質との界面Ｂ１ で屈折して集光点Ｆ２ に一旦集光した後、レンチキュラーレンズ１０と光透過層２５との界面Ｂ２ で再び屈折し、その後、光透過層２５とその外側の媒質との界面Ｂ３ で全反射が起きなければ、界面Ｂ３ で更に屈折して光拡散部材３０から出射する。光Ｌ３ の光路と光Ｌ４ の光路とは、光軸ＯＡに関して線対称であるので、以下の説明は光Ｌ４ の光路を参照して行う。なお、図２中の参照符号「ＮＬ１ 」は界面Ｂ１ への光Ｌ４ の入射地点での法線を示し、参照符号「ＮＬ３ 」は界面Ｂ３ への光Ｌ４ の入射地点での法線を示している。界面Ｂ２ への光Ｌ４ の入射地点での法線は光軸ＯＡに重なるので、図示を省略する。
【００５０】
光拡散部材３０から光Ｌ４ が出射するためには、界面Ｂ３ への光Ｌ４ の入射角θが臨界角未満であることが必要である。入射角θが臨界角であるときには、界面Ｂ３ での光Ｌ４ の屈折角ξと入射角（臨界角）θとの間に下式（ｉ）が成り立つ。なお、式（ｉ）の右辺の「１」は、光透過層２５の外側の媒質である空気の屈折率を示す。
【００５１】
【数４】
2006309150.tif 000008
【００５２】
この式（ｉ）から明らかなように、界面Ｂ３ へ光Ｌ４ が入射するときの臨界角θは、下式（ii）によって表される。
【００５３】
【数５】
2006309150.tif 000009
【００５４】
光Ｌ４ が光拡散部材３０から出射するためには、界面Ｂ３ への入射角θが上記の式（ii）で表される角度未満となることが必要である。また、界面Ｂ２ で屈折した光Ｌ４ が遮光部１５によって遮られないことが必要である。
【００５５】
界面Ｂ２ と界面Ｂ３ とが互いに平行であれば、界面Ｂ３ へ光Ｌ４ が入射角θで入射するときには界面Ｂ２ での光Ｌ４ の屈折角もθとなる。界面Ｂ２ で屈折した光Ｌ４ が遮光部１５によって遮られることなく界面Ｂ３ に達することができる遮光部１５の厚さＨは、隣り合う凸シリンドリカルレンズ５同士のピッチＰｃ と、各遮光部１５でのレンチキュラーレンズ１０とは反対側の面での幅Ｗ２ と、界面Ｂ２ での光Ｌ４ の屈折角θとを用いて、下式（iii）によって表すことができる。
【００５６】
【数６】
2006309150.tif 000010
【００５７】
この式（iii） に上記の式（ii）を代入し、更に遮光部１５の厚さＨが正数であることを考慮して変形すると、前記の式（Ｉ）が得られる。
【００５８】
以上の説明から明らかなように、光拡散部材３０において前記の式（Ｉ）が成り立つとき、レンチキュラーレンズ１０と光透過層２５との界面Ｂ２ で屈折した光Ｌ３ 、Ｌ４ は、遮光部１５によって遮られることなく光透過層２５とその外側の媒質との界面Ｂ３ に入射し、この界面Ｂ３ でも全反射せずに屈折して光拡散部材３０から出射することになる。光Ｌ３ 、Ｌ４ が界面Ｂ２ 、Ｂ３ で全反射せずに屈折するとき、これらの光Ｌ３ 、Ｌ４ よりも光軸ＯＡに近い箇所で凸シリンドリカルレンズ５の屈折面に入射した光Ｌ１ 、Ｌ２ 、すなわち、凸シリンドリカルレンズ５の屈折面への入射角が当該屈折面への光Ｌ３ 、Ｌ４ の入射角よりも小さな光Ｌ１ 、Ｌ２ もまた、界面Ｂ２ 、Ｂ３ で全反射せずに屈折する。
【００５９】
したがって、光拡散部材３０において前記の式（Ｉ）が成り立つときには、光軸ＯＡと平行に凸シリンドリカルレンズ５の屈折面に入射した光が界面Ｂ２ 又は界面Ｂ３ で全反射してしまうことが抑えられる。また、光軸ＯＡと平行に凸シリンドリカルレンズ５の屈折面に入射した光のうちで界面Ｂ３ で全反射しない実質的に全ての光が界面Ｂ３ に達するように、遮光部１５の厚さＨが選定されたことになる。
【００６０】
これらの結果として、光拡散部材３０を用いた透過型スクリーンでは迷光の発生が抑えられる。したがって、光拡散部材３０によれば、映像の画質（解像度やコントラスト）が良好な透過型スクリーンを得ることが容易になる。
【００６１】
光拡散部材３０を用いた透過型スクリーンは、当該光拡散部材３０と、背面投射型ディスプレイでの投射光学系内における光拡散部材３０よりも映像光源側に配置されたフレネルレンズとによって構成されたものであることが好ましい。フレネルレンズと光拡散部材３０とは一体化されていてもよいし、別体のまま用いてもよい。光拡散部材３０は、各凸シリンドリカルレンズ５の長手方向が垂直方向（画面の上下方向を意味する。以下同じ。）となり、かつ、遮光パターン２０よりも各凸シリンドリカルレンズ５の屈折面の方が上記の映像光源側となる向きで配置される。
【００６２】
なお、光拡散部材３０において光Ｌ４ が界面Ｂ２ で全反射せずに屈折するためには、界面Ｂ２ への光Ｌ４ の入射角φが臨界角未満であることが必要である。式（iii） についての説明の中で述べたように、界面Ｂ２ と界面Ｂ３ とが互いに平行であれば、光Ｌ４ が界面Ｂ３ へ入射角θで入射するときの界面Ｂ２ での光Ｌ４ の屈折角はθとなる。界面Ｂ２ での光Ｌ４ の入射角φと屈折角θとの間には、下式（iv）が成り立つ。
【００６３】
【数７】
2006309150.tif 000011
【００６４】
また、界面Ｂ３ への光Ｌ４ の入射角θが臨界角であるときには、式（ｉ）に示したように、sinθ＝１／ｎｔ という関係が成り立つ。この関係を上記の式（iv）に代入すると、下式（ｖ）が得られる。
【００６５】
【数８】
2006309150.tif 000012
【００６６】
sin２φ＋cos２φ＝１であるので、上記の式（ｖ） から下式（vi）及び下式（vii）が得られる。
【００６７】
【数９】
2006309150.tif 000013
【００６８】
【数１０】
2006309150.tif 000014
【００６９】
ところで、光Ｌ４ は光軸ＯＡと平行な方向から界面Ｂ１ に入射するので、界面Ｂ１ での光Ｌ４ の屈折角εの値は、界面Ｂ１ での光Ｌ４ の入射角αと界面Ｂ２ での光Ｌ４ の入射角φとを用いて、下式（viii）によって表すことができる。
【００７０】
【数１１】
2006309150.tif 000015
【００７１】
界面Ｂ１ での光Ｌ４ の入射角（臨界角）αと屈折角εとの間には、下式（ix）が成り立つので、sinα＝ｎｃ・sinεである。
【００７２】
【数１２】
2006309150.tif 000016
【００７３】
この式に上記の式（ｖ）、式（vii）、及び式（viii）を代入すると、下式（ｘ）が得られる。
【００７４】
【数１３】
2006309150.tif 000017
【００７５】
tanα＝sinα／cosαであるので、上記の式（ｘ）の両辺をcosαで除すと、下式（xi）が得られる。
【００７６】
【数１４】
2006309150.tif 000018
【００７７】
この式（xi）を変形すると、cotα＝（ｎｃ２−１）１／２−１が得られ、更に下式（xii）が得られる。
【００７８】
【数１５】
2006309150.tif 000019
【００７９】
したがって、前述した界面Ｂ１ への光Ｌ４ の入射角αが下式（II）を満たすように各凸シリンドリカルレンズ５の屈折面の形状を選定することにより、具体的には各凸シリンドリカルレンズ５の幅方向の端での接平面の傾斜角を選定することにより、界面Ｂ２ 、Ｂ３ それぞれでの光Ｌ４ の全反射を抑えることが可能になる。光Ｌ３ についても、全く同じことがいえる。
【００８０】
【数１６】
2006309150.tif 000020
【００８１】
（第２形態）
本発明の光拡散部材では、遮光部におけるレンチキュラーレンズとは反対側の面での幅Ｗ２ の値を、この遮光部におけるレンチキュラーレンズ側の面での幅Ｗ１ の値よりも小さくすることができる。
【００８２】
図３は、上記の幅Ｗ２ が上記の幅Ｗ１ よりも小さい光拡散部材の一例を概略的に示す断面図である。同図に示す光拡散部材４０は、遮光パターンを構成している各遮光部での幅Ｗ２ の値が幅Ｗ１ の値よりも小さいという点を除き、図１に示した光拡散部材３０と同じ構造を有している。図３に示した構成部材のうちで図１に示した構成部材と共通するものについては、図１で用いた参照符号と同じ参照符号を付してその説明を省略する。遮光パターンについては新たな参照符号「２０Ａ」を付し、各遮光部には新たな参照符号「１５Ａ」を付してある。
【００８３】
この光拡散部材４０では、各遮光部１５Ａでの幅Ｗ２ の値が幅Ｗ１ の値よりも小さいので、遮光部１５Ａの厚さを図１に示した光拡散部材３０での遮光部１５の厚さと同じ値にしたときには、個々の遮光部１５Ａの幅Ｗ１ を広くしても前述の式（Ｉ）を成り立たせることができる。
【００８４】
すなわち、光拡散部材４０によれば、前述の式（Ｉ）が成り立つ状態のまま、レンチキュラーレンズ１０の他方の面１０ａの面積に占める各遮光部１５Ａの平面視上の総面積の割合を高めることが容易になるので、図１に示した光拡散部材３０を用いた場合に比べて映像のコントラストが更に良好な透過型スクリーンを得易くなる。
【００８５】
（第３形態）
本発明の光拡散部材では、光透過層に光拡散材を分散させることができる。図４は、光透過層に光拡散材が分散されている光拡散部材の一例を概略的に示す断面図である。同図に示す光拡散部材５０は、光透過層に光拡散材が分散されているという点を除き、図１に示した光拡散部材３０と同じ構造を有している。図４に示した構成部材のうちで図１に示した構成部材と共通するものについては、図１で用いた参照符号と同じ参照符号を付してその説明を省略する。光拡散材が分散している上記の光透過層については、以下、「光拡散層」と称し、図４においては参照符号「２５Ａ」を付してある。
【００８６】
上記の光拡散層２５Ａは、例えば、マトリックス材料としての透明樹脂２２に樹脂ビーズやガラスビーズ等の光拡散材２４が多数分散したものである。この光拡散層２５Ａは、例えば、熱可塑性樹脂、光硬化性樹脂組成物、電子線硬化性樹脂組成物等をマトリックスの原材料として用い、この原材料に光拡散材２４を分散させた状態で押出し成形や塗布等の方法により未硬化の層を形成し、その後、当該未硬化の層を冷却、光の照射、電子線の照射等の方法によって硬化させることにより、形成することができる。光拡散層２５Ａにおける光拡散材２４の含有量は、光拡散層２５Ａに求められる光拡散の程度や、光拡散材２４の種類及び大きさ等に応じて、０．０１〜１０質量％程度の範囲内で適宜選定可能である。
【００８７】
光拡散部材５０を用いて透過型スクリーンを構成しようとする場合、光拡散層２５Ａによる光拡散の程度は、拡散半値角をα２５、拡散１／３値角をβ２５、拡散１／１０値角をγ２５で表したときに、α２５＞3、β２５＞4、γ２５＞6であることが好ましく、α２５＞5、β２５＞6、γ２５＞9であることが更に好ましい。
【００８８】
また、光拡散部材５０を用いて透過型スクリーンを構成しようとする場合には、シンチレーション（ぎらつき）やモアレ等を防止するという観点から、当該光拡散部材５０と光拡散機能を有するフレネルレンズとを併用して透過型スクリーンを構成することが好ましい。そして、光拡散機能を有するフレネルレンズで生じた拡散光が遮光部１５によって遮られるのをできるだけ抑制するには、上記のフレネルレンズでの拡散半値角をαＦＬ、拡散１／３値角をβＦＬ、拡散１／１０値角をγＦＬとすると、βＦＬ／αＦＬ、γＦＬ／αＦＬ、及びγＦＬ／βＦＬそれぞれの値を小さくし、かつ、光拡散層２５Ａでの光の拡散の程度をフレネルレンズでの光の拡散の程度よりも大きくすることが好ましい。光拡散層２５Ａ及びフレネルレンズそれぞれでの光の拡散の程度は、α２５／αＦＬ＞2、β２５／βＦＬ＞3、γ２５／γＦＬ＞4  とすることが好ましい。また、上記のフレネルレンズの垂直方向での光の拡散の度合いを、当該フレネルレンズの水平方向での光の拡散の度合いよりも大きくすれば、更に好ましい。
【００８９】
光拡散部材５０を用いて透過型スクリーンを構成した場合には、フレネルレンズが光拡散機能を有しているか否かに拘わらず、各凸シリンドリカルレンズ５の配列方向以外の方向にも映像光が拡散されるので、水平方向の視野角特性に加えて垂直方向の視野角特性も良好な透過型スクリーンが得られる。
【００９０】
なお、光拡散層２５Ａ内では光の散乱が生じるので、たとえ前述の式（Ｉ）が成り立つときでも、光拡散層２５Ａとその外側の媒質との界面での全反射を抑止することはできない。しかしながら、前述の式（Ｉ）が成り立たない光拡散部材（光拡散機能を有する光透過層が設けられたもの）に比べれば、上記の界面での全反射が抑えられる。光透過層が光拡散層２５Aであるときの本発明でいう「光透過層の屈折率ｎｔ 」とは、光拡散材が分散されるマトリックス材料である透明樹脂の屈折率を意味する。
【００９１】
（第４形態）
本発明の光拡散部材は、光透過層として透明接合剤層が設けられ、この透明接合剤層によって支持板、光拡散フィルム、光拡散シート、光拡散板等がレンチキュラーレンズの他方の面及び遮光パターンに接合された構造とすることができる。
【００９２】
図５は、上記の構造を有する光拡散部材の一例を概略的に示す断面図である。同図に示す光拡散部材６０は、光透過層として透明接合剤層２５Ｂが設けられ、この透明接合剤層２５Ｂによって透明な支持板５５がレンチキュラーレンズ１０の他方の面１０ａ及び遮光パターン２０に接合されているという点を除き、図１に示した光拡散部材３０と同じ構造を有している。図５に示した構成部材のうちで図１に示した構成部材と共通するものについては、図１で用いた参照符号と同じ参照符号を付してその説明を省略する。
【００９３】
光透過層として透明接合剤層を設ける場合の膜厚及び原材料については、本発明の光拡散部材の第１形態についての説明の中で既に述べたので、図５に示す透明接合剤層２５Ｂの膜厚及び原材料についての説明は省略する。
【００９４】
上記の支持板５５は、レンチキュラーレンズ１０を支持するための剛性（自立性）を有するものであり、この支持板５５としては、例えば透明樹脂や透明ガラスからなるシート状物又は板状物を用いることができる。支持板５５の厚さは、その材料や光拡散部材６０の用途等に応じて適宜選定可能である。
【００９５】
光拡散部材６０は、支持板５５を有しているので、支持板５５がない場合に比べて、その取り扱いが容易になる。したがって、光拡散部材６０を用いて透過型スクリーンを作製する場合には、支持板を備えていない光拡散部材を用いた場合に比べて、生産性（ハンドリング性）や歩留りを高め易くなる。
【００９６】
なお、光拡散部材６０においては、レンチキュラーレンズ１０から透明接合剤層２５Ｂを経て支持板５５に伝播した光が支持板５５とその外側の媒質（空気）との界面（以下、この界面を「Ｂ４ 」という。）で全反射してしまうのを抑えることが望まれる。透明接合剤層２５Ｂと支持板５５との界面は、第１形態の光拡散部材３０での界面Ｂ３ （図２参照）に相当するので、以下においても「界面Ｂ３ 」というものとすると、この界面Ｂ３ が上記の界面Ｂ４ と互いに平行であれば、界面Ｂ３ での光の屈折角ξ（図２参照）が界面Ｂ４ での光の入射角となる。なお、ここでいう「光」は、図２に示した光Ｌ３ 、Ｌ４ に相当する光を意味する。この光を、以下、「光Ｌ」という。
【００９７】
支持板５５の屈折率をｎｂ とし、界面Ｂ４ での光Ｌの屈折角をρとすると、界面Ｂ４ での光Ｌの入射角ξが臨界角であるときには、入射角ξと屈折角ρとの間に下式（xiii）が成り立つ。
【００９８】
【数１７】
2006309150.tif 000021
【００９９】
また、界面Ｂ３ への光Ｌの入射角θが臨界角（ただし、ｎｂ ＜ｎｔ （ｎｔ 透明接合剤層２５Ｂの屈折率を表す。）であるものとする。）であるときには、界面Ｂ３ での光Ｌの屈折角ξと入射角（臨界角）θとの間に、前述した式（ｉ）が成り立つ。すなわち、sinθ／sinξ＝ｎｂ／ｎｔ である。この式で表されるsinξを式（xiii） に代入すると、sinθ＝１／ｎｔ となり前記の式（ｉ）と同じになる。ｎｂ ≧ｎｔ  のとき、光Ｌは界面Ｂ３ で全反射しない。
【０１００】
したがって、光拡散部材６０においても前述の式（Ｉ）が成り立てば、レンチキュラーレンズ１０と透明接合剤層２５Ｂとの界面、及び上記の界面Ｂ３ 、Ｂ４ それぞれでの光Ｌの全反射が抑えられることになる。また、界面Ｂ４ で全反射しない実質的に全ての光が界面Ｂ４ に達するように、遮光部１５の厚さが選定されたことになる。
【０１０１】
これらの結果として、光拡散部材６０を用いた透過型スクリーンでは迷光の発生が抑えられる。したがって、光拡散部材６０によっても、映像の画質が良好な透過型スクリーンを得ることが容易になる。
【０１０２】
（第５形態）
本発明の光拡散部材は、光透過層として透明接合剤層が設けられ、この透明接合剤層によって支持板、光拡散フィルム、光拡散シート、光拡散板等がレンチキュラーレンズ及び遮光パターンに接合され、その外側に更に帯電防止層、反射防止層、防眩層等の所望の機能を有する層（以下、この層を「機能層」という。）のうち少なくとも１つが設けられた構造とすることができる。
【０１０３】
図６は、上記の構造を有する光拡散部材の一例を概略的に示す断面図である。同図に示す光拡散部材８０は、光透過層として透明接合剤層２５Ｂが設けられ、この透明接合剤層２５Ｂによって光拡散シート６５がレンチキュラーレンズ１０の他方の面１０ａ及び遮光パターン２０に接合され、この光拡散シート６５の外表面に機能層７０が設けられているという点を除き、図５に示した光拡散部材６０と同じ構造を有している。図６に示した構成部材のうちで図５に示した構成部材と共通するものについては、図５で用いた参照符号と同じ参照符号を付してその説明を省略する。
【０１０４】
上記の光拡散シート６５は、マトリックス材料としての透明樹脂６２に樹脂ビーズやガラスビーズ等の光拡散材６４が多数分散したものであり、例えば、熱可塑性樹脂をマトリックス材料として用いて押出し成形法により形成することができる。光拡散シート６５での光拡散材６４の含有量は、図４に示した光拡散層２５Ａでの光拡散材２４の含有量と同じ基準の下に選定することができる。光拡散シート６５に代えて光拡散フィルム又は光拡散板を用いる場合についても同様である。
【０１０５】
機能層７０は、光拡散シート６５上に直接形成されたものであってもよいし、透明接合剤を用いて光拡散シート６５上に貼付されたものであってもよい。機能層７０としてどのような機能を有する層を設けるかは、光拡散部材８０の用途やグレード等に応じて適宜選択される。また、機能の異なる又は一部共通する２以上の機能層を適宜選択して設けてもよい。
【０１０６】
機能層７０として帯電防止層を設けることにより、光拡散部材８０の表面（機能層７０の表面）への塵埃の付着を抑制することができ、結果として、この光拡散部材８０を用いて構成された透過型スクリーンでは清掃の頻度を低くしても光学特性を良好な状態に保ち易くなる。また、機能層７０として反射防止層を設けることにより、光拡散部材８０の表面（機能層７０の表面）での外光の反射を抑えることができ、結果として、光拡散部材８０による拡散光に反射光が重畳されることが抑えられる。そして、機能層７０として防眩層を設けることにより、光拡散部材８０の表面（機能層７０の表面）を視認したときのギラツキ感を抑えることができ、結果として、この光拡散部材８０を用いて構成された透過型スクリーンでのギラツキ感も抑えることができる。
【０１０７】
（第６形態）
本発明の光拡散部材におけるレンチキュラーレンズは、必要に応じて、積層構造にすることができる。
【０１０８】
図７は、積層構造のレンチキュラーレンズを備えた光拡散部材の一例を概略的に示す断面図である。同図に示す光拡散部材９０は、２層構造のレンチキュラーレンズ１０Ａを有しているという点を除き、図１に示した光拡散部材３０と同じ構造を有している。図７に示した構成部材のうちで図１に示した構成部材と共通するものについては、図１で用いた参照符号と同じ参照符号を付してその説明を省略する。
【０１０９】
上記のレンチキュラーレンズ１０Ａは、ベースフィルム１０Ｆにおける厚さ方向の一方の面にレンチキュラーレンズ部１０Ｌが形成され、ベースフィルム１０Ｆにおける厚さ方向の他方の面が他方の面１０ａとなっているものである。ベースフィルム１０Ｆの利用は、レンチキュラーレンズ部１０Ｌの材料からでは得ることが困難な特性や機能、例えば耐熱変形性、耐吸水変形性等をレンチキュラーレンズ１０Ａに付与するという観点から、好適である。このようなベースフィルム１０Ｆとしては、ポリエステル、ポリカーボネート、環状ポリオレフィン、ポリスチレン等の所望の透明樹脂からなる厚さ２５〜２５０μｍ程度のフィルムを用いることができる。
【０１１０】
ベースフィルム１０Ｆの屈折率は、レンチキュラーレンズ部１０Ｌの屈折率と異なっていてもよいし、同じであってもよい。ベースフィルム１０Ｆとレンチキュラーレンズ部１０Ｌとの界面での光の全反射を抑制するという観点からは、両者の屈折率差はできるだけ小さい方が好ましい。レンチキュラーレンズ部１０Ｌは、図１に示したレンチキュラーレンズ１０と同様に、押出し成形や、紫外線の照射を伴う型成形等の方法によって形成することができる。
【０１１１】
上記の構造を有する光拡散部材９０では、ベースフィルム１０Ｆの材料及び厚さを適宜選定することにより、光学特性以外の特性を当該光拡散部材９０の用途やグレード等に応じて種々変更することが可能であるので、所望の特性を有するものを得易い。
【０１１２】
（第７形態）
本発明の光拡散部材におけるレンチキュラーレンズの他方の面の形状は平面に限定されるものではなく、遮光部を形成しようとする箇所が台状に突出した形状であってもよい。
【０１１３】
図８は、レンチキュラーレンズの他方の面が上記の形状を有する光拡散部材の一例を概略的に示す断面図である。同図に示す光拡散部材１００は、他方の面１０ａに多数の台状部１０ｂを有するレンチキュラーレンズ１０Ｂを備え、個々の台状部１０ｂでの上面及び側面に当該台状部１０ｂを覆うようにして遮光部１５Ｂが形成されているという点を除き、図１に示した光拡散部材３０と同じ構造を有している。図８に示した構成部材のうちで図１に示した構成部材と共通するものについては、図１で用いた参照符号と同じ参照符号を付してその説明を省略する。
【０１１４】
上記のレンチキュラーレンズ１０Ｂは、例えば、凸シリンドリカルレンズ５を形成するための金型ロールと台状部１０ｂを形成するための金型ロールとを各々の成形面が互いに対向するに配置し、溶融透明樹脂の押出成形や、フィルム状又はシート状に成形した透明樹脂を当該透明樹脂が硬化する前にこれらのロールによって所定形状に成形することにより、得ることができる。また、遮光部１５Ｂは、例えば印刷法によって形成される。印刷条件を適宜選定することにより、所望形状の遮光部１５Ｂを一工程で形成することが可能である。
【０１１５】
上記の構造を有する光拡散部材１００では、台状部１０ｂ上に遮光部１５Ｂが形成されるので、個々の遮光部１５Ｂの厚さＨを所望の値に制御することが容易である。
【０１１６】
以上、７つの形態を挙げて本発明の光拡散部材を説明したが、本発明の光拡散部材の形態はこれらの形態に限定されるものではない。前述した式（Ｉ）が成り立つものであれば、上述した第１〜７形態の他にも種々の変形、修飾、組み合わせ等を施した形態とすることができる。
【０１１７】
（第８形態）
本発明は、いわゆるハエの目レンズを有するマイクロレンズアレイシートに対しても、上記レンチキュラーレンズシートの場合と同様に適用できる。図９は、本発明の光拡散部材のさらに他の形態を示す、一部切り欠いた状態を示す模式的な斜視図である。この形態の光拡散部材１０１は、上記第１形態〜第７形態の光拡散部材を構成する「多数の凸シリンドリカルレンズ５」の代わりに「多数の単位凸レンズ１０２」で構成され、さらに「ストライプ状に配置された多数の遮光部１５からなる遮光パターン２０」の代わりに「格子状に配置された遮光部１０５からなる遮光パターン１０４」で構成されているものである。
【０１１８】
すなわち、第１形態〜第７形態の光拡散部材が、光を主に水平方向に拡散させる多数の凸シリンドリカルレンズを有するレンチキュラーレンズシートであるのに対し、この第８形態の光拡散部材１０１は、光を水平方向Ｘ及び鉛直方向Ｙに拡散させる多数の単位凸レンズ１０２を有するマイクロレンズアレイシートである点で相違するが、それ以外の構成及び具体的な数値についても、上記第１形態〜第７形態の光拡散部材の場合と同様のものとすることができる。そして、この単位凸レンズ１０２は、鉛直方向Ｙにおける光の拡散と水平方向Ｘにおける光の拡散とを同じ挙動とすることができるので、第１形態〜第７形態での水平方向Xでの光の拡散挙動をそのまま鉛直方向Yの光の拡散挙動に置き換えて考えることができる。したがって、第８形態の光拡散部材１０１の作用及び効果は、上記第１形態〜第７形態の場合と同様であり、以下においては、重複する記述は省略する。
【０１１９】
第８形態の光拡散部材１０１は、図９に示すように、一方の面に多数の単位凸レンズ１０２が縦横にそれぞれ一定の縦ピッチＰV及び横ピッチＰHで形成されているシート状のハエの目レンズ１０３と、該ハエの目レンズ１０３の他方の面１０ａに格子状に配置された多数の遮光部１０５からなる遮光パターン１０４と、隣り合う遮光部１０５の間の凹部を埋めるようにして前記ハエの目レンズ１０３の他方の面１０ａに形成された少なくとも１つの光透過層１０６とを有している。そして、第１形態〜第７形態の場合と同様、遮光部１０５は、単位凸レンズ１０２の光軸ＯＡと平行な光が前記一方の面側から前記ハエの目レンズ１０３内に入射したときの光路外に配置されている。さらに、遮光部１０５の厚さをＨとし、遮光部１０５におけるハエの目レンズ１０３側の面での縦幅をＷ1V、横幅をＷ1H とし、遮光部１０５におけるハエの目レンズ１０３とは反対側の面での縦幅をＷ2V、横幅をＷ2H とし、光透過層１０６の屈折率をｎｔ としたときに、下式（III）、（IV）が成り立つ。
【０１２０】
【数３】
2006309150.tif 000022
【０１２１】
【数４】
2006309150.tif 000023
【０１２２】
なお、本発明に係る光拡散部材で透過型スクリーンを構成し、その透過型スクリーンを背面投射型ディスプレイに装着したとき、図９に示すように、「縦ピッチＰV」とは、鉛直方向Ｙのピッチのことであり、「横ピッチＰH」とは水平方向Ｘのピッチのことである。
【０１２３】
図１０は、図９に示す形態の光拡散部材が有する遮光部の各幅Ｗ1V、Ｗ1H、Ｗ2V、Ｗ2Hの説明図である。図１０に示すように、「縦幅Ｗ1V」とは、遮光部１０５におけるハエの目レンズ１０３側の面での鉛直方向Ｙの幅のことであり、「横幅Ｗ1H」とは、遮光部１０５におけるハエの目レンズ１０３側の面での水平方向Ｘの幅のことであり、「縦幅をＷ2V」とは、遮光部１０５におけるハエの目レンズ１０３とは反対側の面での鉛直方向Ｙの幅のことであり、「横幅Ｗ2H」とは、遮光部１０５におけるハエの目レンズ１０３とは反対側の面での鉛直方向Ｙの幅のことである。
【０１２４】
ここで、「屈折率」とは、測定光の波長が５８８ｎｍであるときの屈折率を意味し、また、「遮光部の厚さ」とは、単位凸レンズ１０２の屈折面に入射して単位凸レンズ１０２によって集光される光の出射面を基準とした遮光部１０５の高さ（厚さ）を意味する。また、単位凸レンズ１０２ピッチＰＶ、ＰＨ、厚さＨ及び遮光部１０５の各幅Ｗ1V、Ｗ1H、Ｗ2V、Ｗ2Hそれぞれの単位は、互いに同じであれば問わない。また、式（III）（IV）は、式（Ｉ）が導かれたのと同様に、既述の式(i)から(iii)に準じて導かれる。
【０１２５】
この光拡散部材１０１によれば、上記の式（III）、（IV）が成り立つように構成したので、光透過層１０６内で光の散乱が起こらない限り、単位凸レンズ１０２側から光透過層１０６に入射した光が光透過層１０６とその外側の媒質との界面で全反射することが抑止される。さらに、上記の式（III）、（IV）が成り立つときには、光透過層１０６内で光の散乱が起こらない限り、単位凸レンズ１０２側から光透過層１０６に入射した光のうちで前記界面で全反射しない実質的に全ての光が当該界面に達するように、遮光部１０５の厚さＨが選定されたことになる。光拡散材を含む光透過層１０６を設けた場合には、上記の界面での全反射を抑止することができないが、上記の式（III）、（IV）が成り立たないものに比べれば、上記の界面での全反射が抑えられる。これらの結果として、光拡散部材１０１を用いた透過型スクリーンでは、単位凸レンズ１０２側から入射した光が光透過層１０６とその外側の媒質との界面で全反射して迷光となるのを抑えることが容易になる。したがって、この光拡散部材１０１によれば、迷光の発生が抑制されるので、そうして発生した迷光が不特定箇所から観察者側に出光することを防ぐことができ、映像の画質（解像度とコントラスト。以下同じ。）のよい透過型スクリーンを得易くなる。
【０１２６】
また、単位凸レンズ１０２の屈折率をｎｃとし、単位凸レンズ１０２の幅方向及び垂直方向の端での接平面の傾斜角をαとしたときに、下式（II）が成り立つことが好ましい。
【０１２７】
【数５】
2006309150.tif 000024
【０１２８】
上記の式（II）が成り立つとき、単位凸レンズ１０２それぞれの光軸ＯＡと平行な光が当該単位凸レンズ１０２の屈折面に入射したときに、ハエの目レンズ１０３と光透過層１０６との界面での全反射、及び光透過層１０６とその外側の媒質との界面での全反射がそれぞれ抑えられる。これらの結果として、単位凸レンズ１０２それぞれの屈折面に上記平行な光が入射したときの内部反射が抑えられ、映像の画質が更に良好な透過型スクリーンを得易くなる。
【０１２９】
なお、図９に示す光拡散部材１０１は、厚さ方向の他方の面１０ａが平面に成形されているハエの目レンズ１０３と、このハエの目レンズ１０３における他方の面１０ａ上に設けられて少なくとも境界領域１０Ｐを形成する光透過層１０６とを有する２層構造からなる例である。また、図５に示す光拡散部材６０のように、ハエの目レンズと光透過層とからなるマイクロレンズアレイシートと、支持板とからなる構造とすることもできるし、図６に示す光拡散部材８０のように、ハエの目レンズと光透過層とからなるマイクロレンズアレイシートと、機能層を有する光拡散シートとからなる構造とすることもできる。マイクロレンズアレイシートを２層又は３層の積層構造とする場合には、厚さ方向に隣り合う層同士の物理的界面が光学界面になるのを抑制することが好ましく、そのためには、上記同様、これらの層の屈折率差を０．０５程度以下にすることが好ましい。
【０１３０】
こうした構造を有する光拡散部材により、映像のコントラストが良好で、かつ、視野角特性が高い透過型スクリーンを得易くなる。この理由は、図２を参照して説明した上記第１形態の場合と同様である。
【０１３１】
また、第２形態の光拡散部材４０における遮光部１５Ａの幅Ｗ１とＷ２の関係についても、この第８形態の光拡散部材１０１に適用できる。すなわち、格子状に配置された遮光部１０５の水平方向Ｘの幅Ｗ1V、Ｗ2V及び鉛直方向Ｙの幅Ｗ1H、Ｗ2Hについても、その関係と同様とすることができる。また、第３形態の光拡散部材５０における光拡散層２５Ａについても、この第８形態の光拡散部材１０１に適用できる。また、第４形態の光拡散部材６０に接合された支持板５５についても、この第８形態の光拡散部材１０１に適用できる。また、第６形態及び第７形態の光拡散部材の構成についても、この第８形態の光拡散部材１０１に適用できる。
【０１３２】
（透過型スクリーン）
本発明の透過型スクリーンは、前述した本発明の光拡散部材と、この光拡散部材における凸シリンドリカルレンズ又は単位凸レンズの屈折面の外側に配置されたフレネルレンズシートとを有するものである。
【０１３３】
図１１は、本発明の透過型スクリーンの一例を概略的に示す斜視図である。図示の透過型スクリーン１１０は、図１に示した光拡散部材３０と、この光拡散部材３０における凸シリンドリカルレンズ５の屈折面の外側に配置されたフレネルレンズシート１２０とを有している。光拡散部材３０については既に説明したので、ここではその説明を省略する。図１１に示した構成部材のうちで図１を参照して既に説明したものについては、図１で用いた参照符号と同じ参照符号を付してその説明を省略する。
【０１３４】
上記のフレネルレンズシート１２１は、厚さ方向の一方の面にプリズム９５が多数、上記の面の外側にある仮想点（フレネル中心）Ｏを中心とする同心の円弧状に形成され、厚さ方向の他方の面が平面に成形されたものである。上記の仮想点Ｏは、フレネルレンズシート１２１を正面視したときに、当該フレネルレンズシート１２１の上下軸Ａｘ（図示の状態でのフレネルレンズシート１２１の高さ方向に延びている軸線を意味する。）の延長線上に位置しており、フレネルレンズシート１２１は、上下軸Ａｘに関して左右対称である。
【０１３５】
フレネルレンズシート１２１において隣り合うプリズム９５同士のピッチ（頂部同士の間隔を意味する。）は、一定である。このピッチは、フレネルレンズシート１２１を用いて透過型スクリーンを構成したときに各プリズム９５が視認されないように、１．０ｍｍ程度以下とすることが好ましく、０．１ｍｍ程度以下とすることが更に好ましい。個々のプリズム９５の形状は、光拡散部材３０側からみて上記一方の面の後方斜め下から発散光の状態で入射した可視光をフレネルレンズシート１２１の厚さ方向と平行又は略平行な光に変換することができるように選定されている。
【０１３６】
図１２は、本発明の透過型スクリーンの他の一例を概略的に示す斜視図である。図示の透過型スクリーン１１１は、図５に示した光拡散部材６０と、この光拡散部材６０における凸シリンドリカルレンズ５の屈折面の外側に配置されたフレネルレンズシート１２２とを有している。光拡散部材６０については既に説明したので、ここではその説明を省略する。図１２に示した構成部材のうちで図５を参照して既に説明したものについては、図５で用いた参照符号と同じ参照符号を付してその説明を省略する。
【０１３７】
上記のフレネルレンズシート１２２は、厚さ方向の一方の面にプリズム９５が多数形成され、当該フレネルレンズシート面内にフレネル中心を有するサーキュラーフレネルレンズであり、厚さ方向の他方の面が平面に成形されたものである。図１２においては、プリズム９５を有する面が、光拡散部材６０の側に設けられている。フレネルレンズシート１２２において隣り合うプリズム９５同士のピッチ（頂部同士の間隔を意味する。）は、一定であり、このピッチは、フレネルレンズシート１２２を用いて透過型スクリーンを構成したときに各プリズム９５が視認されないように、１．０ｍｍ程度以下とすることが好ましく、０．１ｍｍ程度以下とすることが更に好ましい。個々のプリズム９５の形状は、光拡散部材６０側からみて上記一方の面の法線方向から発散光の状態で入射した可視光をフレネルレンズシート１２２の厚さ方向と平行又は略平行な光に変換することができるように選定されている。
【０１３８】
図１３は、本発明の透過型スクリーンのさらに他の一例を概略的に示す斜視図である。図示の透過型スクリーン１１２は、図９に示した光拡散部材１０１と、この光拡散部材１０１における単位凸レンズ１０２の屈折面の外側に配置されたフレネルレンズシート１２１とを有している。光拡散部材１０１については第８形態のところで既に説明したので、ここではその説明を省略する。図１３に示した構成部材のうちで図９を参照して既に説明したものについては、図９で用いた参照符号と同じ参照符号を付してその説明を省略する。また、フレネルレンズシート１０１についても、図１２で説明したものと同じ、フレネル中心をシート面内に有するサーキュラーフレネルレンズシート１２２であるので、その説明を省略する。
【０１３９】
以上のように、本発明の光拡散部材は、フレネル中心をシート面内に有するサーキュラーフレネルレンズシート、又はシート面内に有さないサーキュラーフレネルレンズシートと組み合わせて構成することができる。
【０１４０】
（背面投射型ディスプレイ）
図１４は、本発明の光拡散部材を構成部材として有する透過型スクリーンが装着された背面投写型ディスプレイの例を示す構成図である。図１４（Ａ）は、フレネル中心がシート面外にあるサーキュラーフレネルレンズを有する透過型スクリーン１１０（例えば図１１を参照）が装着された背面投写型ディスプレイの例であり、図１４（Ｂ）は、フレネル中心がシート面内にあるサーキュラーフレネルレンズを有する透過型スクリーン１１１（例えば図１２を参照。図１３も同様。）が装着された背面投写型ディスプレイの例である。
【０１４１】
背面投射型ディスプレイ１３０ａ，１３０ｂは、本発明の光拡散部材を構成部材とした透過型スクリーン１１０，１１１を前面側の窓部に備えたものであり、比較的薄型の筐体１２２ａ，１２２ｂの底部に光源１２４ａ，１２４ｂが配置され、筐体１２２ａ，１２２ｂの後部壁内面には光源１２４ａ，１２４ｂからの光を透過型スクリーン１１０，１１１に向かって反射させるミラー１２６ａ，１２６ｂが配置されている。このときの光源１２４ａ，１２４ｂは、ＬＣＤ(Liquid Crystal Display)やＤＬＰ(Digital Light Processing)を用いた単管方式の単光源であってもよいし、ＲＧＢの３管式のＣＲＴ光源であってもよい。
【０１４２】
このような背面投射型ディスプレイ１３０ａ，１３０ｂでは、光源１２４ａ，１２４ｂとミラー１２６ａ，１２６ｂとによって投射光学系が構成されており、光源１２４ａ，１２４ｂから出射した映像光ＭＬは、ミラー１２６ａ，１２６ｂによって透過型スクリーン１１０，１１１側へ反射され、発散光の状態で透過型スクリーン１１０，１１１に入射する。透過型スクリーン１１０，１１１に入射した映像光ＭＬは、フレネルレンズシートによって当該フレネルレンズシートの厚さ方向と平行又は略平行な映像光に変換され、さらに光拡散部材によって拡散されて、背面投射型ディスプレイ１３０ａ，１３０ｂから出射する。
【０１４３】
既に説明したように、本発明の光拡散部材は、映像のコントラストが良好で、かつ、視野角特性が高い透過型スクリーンを得易いものであるので、透過型スクリーンは、映像のコントラストが良好で、かつ、視野角特性が高いものを得易い透過型スクリーンである。したがって、この透過型スクリーンを備えた背面投射型ディスプレイは、表示特性が高いものを得易い背面投射型ディスプレイである。
【０１４４】
なお、本発明の透過型スクリーンは、上述した透過型スクリーンに限定されるものではない。前述した本発明の光拡散部材を用いて構成されたものでありさえすれば、上述した透過型スクリーンの他にも種々の変形、修飾、組み合わせ等を施した形態とすることができる。例えば、図１に示す光拡散部材３０に代えて図３〜図９に示した各形態の光拡散部材を用いることもできる。また、フレネルレンズシートとしては、環状に成形されたプリズムが多数、厚さ方向の一方の面内にある仮想点を中心として同心円状に配置されたものを用いることもできるし、平面形状が帯状ないし線状を呈するプリズムが多数、平行に形成されたもの（リニアフレネルレンズシート）であってもよい。フレネルレンズシートを構成する個々のプリズムは、全反射を利用して映像光の方向分布を変換するものであってもよいし、屈折を利用して映像光の方向分布を変換するものであってもよい。
【実施例】
【０１４５】
以下、実施例を挙げて本発明の光拡散部材を詳細に説明する。
【０１４６】
（実施例１）
まず、厚さ０．０２５ｍｍのポリエステルフィルム（屈折率；１．５９）をベースフィルムとして用い、当該ポリエステルフィルムにおける厚さ方向の一方の面に、屈折率１．５のウレタン系紫外線硬化型樹脂組成物を用いてレンチキュラーレンズ部を形成して、レンチキュラーレンズを得た。上記のレンチキュラーレンズ部では、多数の凸シリンドリカルレンズが５０．０μｍピッチで形成されており、個々の凸シリンドリカルレンズの屈折面は、横半径（多数の凸シリンドリカルレンズの配列方向の半径）が２５．３μｍ、縦半径（凸シリンドリカルレンズの厚さ方向の半径）が３６μｍの非球面となっている。また、レンチキュラーレンズ部の最大厚さ（レンチキュラーレンズ部のトップから出射平面までの厚さ）は、５７．５μｍである。
【０１４７】
次に、上記のレンチキュラーレンズの他方の面、すなわち、ポリエステルフィルムにおける厚さ方向の他方の面である出射面側に、屈折率１．４９のネガ型感光性樹脂をロールコート法により塗布して厚さ１０μｍの感光性樹脂層（光透過層）を形成し、各凸シリンドリカルレンズの屈折面側から略垂直に紫外線を照射して上記の感光性樹脂層を選択的に露光した後に現像して、現像時に溶解しなかった感光性樹脂層からなる光透過層を得た。その後、上記の現像により感光性樹脂層が溶解して形成された凹部にワイピング法によって黒色インキを充填して、遮光パターンを形成した。
【０１４８】
この遮光パターンは、５０．０μｍピッチで配列した多数の遮光部からなり、各遮光部は帯状を呈している。個々の遮光部の厚さは１０μｍであり、その幅は３０μｍである。当該遮光部の幅は、その厚さ方向において実質的に一定、換言すれば、レンチキュラーレンズ部側の面からレンチキュラーレンズ部とは反対側の面にかけて実質的に一定である。また、レンチキュラーレンズの他方の面の面積に占める各遮光部の平面視上の総面積の割合（ＢＳ率）は６０％である。
【０１４９】
その後、レンチキュラーレンズの他方の面及び遮光パターンを覆うようにして厚さ１５μｍ（レンチキュラーレンズの他方の面のうちで遮光パターンによって覆われることなく露出している領域上での厚さを意味する。）のアクリル系粘着剤層（屈折率１．４９）を形成し、このアクリル系粘着剤層によって厚さ２ｍｍの光拡散板をレンチキュラーレンズに接合させた。上記の光拡散板は、屈折率１．５の耐衝撃性アクリル樹脂にアクリルスチレン系拡散剤を分散させたものであり、その拡散半値角は６°である。なお、アクリル系粘着剤層の屈折率（１．４９）と光透過層の屈折率（１．４９）とは同じであるので、光学的には見かけ上同一の層とみなすことができ、例えば図１の「符号２５に示す光透過層」の形態として説明できる。そして、図１に示すように、その光透過層２５は、あたかも隣り合う遮光部１５，１５の間を埋めるようにしてレンチキュラーレンズの他方の面に形成されている。
【０１５０】
この光拡散板をレンチキュラーレンズに接合することによって、目的とする光拡散部材が得られた。当該光拡散部材とフレネルレンズとを組み合わせることにより、視野角特性が良好で、映像のコントラストが高く、画質がシャープな透過型スクリーンを得ることができる。
【０１５１】
（実施例２）
まず、凸シリンドリカルレンズを形成するための凹部を多数有する第１金型ロールと、台状部１０ｂ（図８参照）を形成するための第２金型ロールとを用意し、第１金型ロールでの凹部の中心と第２金型ロールでの凸部の中心とが成形時に所定の間隔の下に互いに対向するようにして、これらの金型ロールを押出し機に近接して配置した。
【０１５２】
次に、屈折率１．５の耐衝撃性アクリル樹脂のシートを上記の押出し機により成形し、当該シートが冷却、硬化する前に上記第１金型ロールと第２金型ロールとによって成形して、図８に示すレンチキュラーレンズ１０Ｂと同様の形状を有するレンチキュラーレンズを得た。
【０１５３】
このレンチキュラーレンズでは、多数の凸シリンドリカルレンズが３００．０μｍピッチで形成されており、個々の凸シリンドリカルレンズの屈折面は、横半径（多数の凸シリンドリカルレンズの配列方向の半径）が１５２．０μｍ、縦半径（凸シリンドリカルレンズの厚さ方向の半径）が２１６．０μｍの非球面となっている。当該レンチキュラーレンズの最大厚さ（レンチキュラーレンズ部のトップから出射平面までの厚さ）は３４５μｍであり、その他方の面には、平面形状が帯状を呈する幅１８０μｍ、厚さ５０μｍの台状部が３００．０μｍピッチで多数形成されている。
【０１５４】
次いで、上記の各台状部上にグラビアオフセット印刷法によって黒色インキを塗工した。このとき、印圧、インキ量、及び印刷ゴムロールの硬度を調整して、各台状部の側面にもインキが流れるようにした。これにより、１つの台状部に１つずつ当該台状部を覆う遮光部が形成されて、遮光パターンが得られた。個々の台状部の上面における遮光部の膜厚は３μｍであり、各遮光部の幅は、その厚さ方向（台状部の厚さ方向）において実質的に一定である。また、レンチキュラーレンズの他方の面の面積に占める各遮光部の平面視上の総面積の割合（ＢＳ率）は６０％である。
【０１５５】
この後、実施例１と同じ条件の下に光拡散板をレンチキュラーレンズに接合させて、目的とする光拡散部材を得た。すなわち、レンチキュラーレンズの他方の面及び遮光パターンを覆うようにして厚さ８０μｍのエポキシアクリレート系ＵＶ粘着剤層（屈折率；１．４９）を形成し、この粘着剤層によって厚さ２ｍｍの光拡散板をレンチキュラーレンズに接合させた。上記の光拡散板は、屈折率１．５の耐衝撃性アクリル樹脂にアクリルスチレン系拡散剤を分散させたものであり、その拡散半値角は６°である。当該光拡散部材とフレネルレンズとを組み合わせることにより、視野角特性が良好で、映像のコントラストと解像度が高く、シャープな透過型スクリーンを得ることができる。なお、エポキシアクリレート系ＵＶ粘着剤層は隣り合う遮光部間を埋めるようにして設けられ、そのエポキシアクリレート系ＵＶ粘着剤層は、例えば図８に示すような光透過層（屈折率１．４９）として作用する。
【０１５６】
また、この光拡散部材では、凸シリンドリカルレンズの光軸と遮光部の平面視上の中心との相対的な位置が各シリンドリカルレンズの配列方向に±１５μｍの範囲内でずれても、上記相対的な位置のずれがないものを用いた透過型スクリーンと視野角特性、映像の画質が同等の透過型スクリーンを得ることができる。
【０１５７】
（実施例３）
まず、厚さ０．０２５ｍｍのポリエステルフィルム（屈折率；１．５９）をベースフィルムとして用い、当該ポリエステルフィルムにおける厚さ方向の一方の面に、屈折率１．５のウレタン系紫外線硬化型樹脂組成物を用いて単位凸レンズ群を形成して、シート状のハエの目レンズを得た。上記のシート状のハエの目レンズでは、多数の単位凸レンズが、鉛直方向Ｙのピッチ（縦ピッチＰＶ）４０．０μｍ、水平方向Ｘのピッチ（横ピッチＰＨ）５０．０μｍピッチで形成されており、個々の単位凸レンズの屈折面は、Ｘ方向半径（多数の単位凸レンズの水平方向Ｘの半径。図９参照。）が２５．３μｍ、Ｙ方向半径（多数の単位凸レンズの鉛直方向Ｙの半径。図９参照。）が２５．３μｍ、縦半径（単位凸レンズの厚さ方向の半径）が３６μｍの非球面となっている。なお、最終的に得られたマイクロレンズアレイシートの最大厚さ（ハエの目レンズのトップから出射平面までの厚さ）は、５７．５μｍである。
【０１５８】
次に、上記のシート状のハエの目レンズの他方の面、すなわち、ポリエステルフィルムにおける厚さ方向の他方の面である出射面側に、屈折率１．４９のネガ型感光性樹脂をロールコート法により塗布して厚さ１０μｍの感光性樹脂層（光透過層）を形成し、各単位凸レンズの屈折面側から略垂直に紫外線を照射して上記の感光性樹脂層を選択的に露光した後に現像して、現像時に溶解しなかった感光性樹脂層からなる光透過層を得た。その後、上記の現像により感光性樹脂層が溶解して形成された凹部にワイピング法によって黒色インキを充填して、遮光パターンを形成した。
【０１５９】
上記の遮光パターンを構成している個々の遮光部の平面形状は横幅３０μｍ×縦幅２０μｍの格子状であり、その格子に囲まれた矩形状の透明樹脂部は横幅２０μｍ×縦幅２０μｍの正方形状（すなわち、配列周期は、横方向である水平方向Ｘは５０μｍ、縦方向である鉛直方向Ｙは４０μｍとなっている。）で配列している。また、各遮光部の厚さは１１．２μｍである。そして、シート状のハエの目レンズの裏面の面積に占める各遮光部の平面視上の総面積の割合（ＢＭ率：ブラックマトリックス率）は８０％である。
【０１６０】
その後、シート状のハエの目レンズの他方の面及び遮光パターンを覆うようにして厚さ１５μｍ（ハエの目レンズの他方の面のうちで遮光パターンによって覆われることなく露出している領域上での厚さを意味する。）のアクリル系粘着剤層（屈折率１．４９）を形成し、このアクリル系粘着剤層によって厚さ２ｍｍの光拡散板をシート状のハエの目レンズに接合させた。上記の光拡散板は、屈折率１．５の耐衝撃性アクリル樹脂にアクリルスチレン系拡散剤を分散させたものであり、その拡散半値角は６°である。なお、アクリル系粘着剤層の屈折率（１．４９）と光透過層の屈折率（１．４９）とは同じであるので、光学的には見かけ上同一の層とみなすことができ、例えば図１の「符号２５に示す光透過層」の形態として説明できる。そして、図１０の断面に示すように、光透過層１０６は、あたかも隣り合う遮光部１０５，１０５の間を埋めるようにしてレンチキュラーレンズの他方の面に形成されている。
【０１６１】
この光拡散板をシート状のハエの目レンズに接合することによって、目的とする光拡散部材であるマイクロレンズアレイシートが得られた。当該光拡散部材とフレネルレンズとを組み合わせることにより、視野角特性が良好で、映像のコントラストが高く、画質がシャープな透過型スクリーンを得ることができる。
【図面の簡単な説明】
【０１６２】
【図１】本発明の光拡散部材の基本構造を概略的に示す断面図である。
【図２】図１に示した光拡散部材に、凸シリンドリカルレンズそれぞれの光軸と平行な光が各凸シリンドリカルレンズの屈折面側から入射したときの光路を概略的に示す断面図である。
【図３】本発明の光拡散部材の他の例を概略的に示す断面図である。
【図４】本発明の光拡散部材の更に他の例を概略的に示す断面図である。
【図５】本発明の光拡散部材の更に他の例を概略的に示す断面図である。
【図６】本発明の光拡散部材の更に他の例を概略的に示す断面図である。
【図７】本発明の光拡散部材の更に他の例を概略的に示す断面図である。
【図８】本発明の光拡散部材の更に他の例を概略的に示す断面図である。
【図９】本発明の光拡散部材の更に他の例を概略的に示す断面図である。
【図１０】図９に示す形態の光拡散部材が有する遮光部の各幅Ｗ1V、Ｗ1H、Ｗ2V、Ｗ2Hの説明図である。
【図１１】本発明の透過型スクリーンの一例を概略的に示す斜視図である。
【図１２】本発明の透過型スクリーンの他の一例を概略的に示す斜視図である。
【図１３】本発明の透過型スクリーンの他の一例を概略的に示す斜視図である。
【図１４】本発明の光拡散部材を構成部材として有する透過型スクリーンが装着された背面投写型ディスプレイの例を示す構成図である。
【符号の説明】
【０１６３】
５  凸シリンドリカルレンズ
１０、１０Ａ  レンチキュラーレンズ
１０ａ  レンチキュラーレンズの他方の面
１５、１５Ａ、１５Ｂ  遮光部
２０  遮光パターン
２２  透明樹脂
２４  光拡散材
２５  光透過層
２５Ａ  光拡散層
２５Ｂ  透明接合剤層
３０、４０、５０、６０、８０、９０、１００  光拡散部材
５５  支持板
６２  透明樹脂
６４  光拡散材
６５  光拡散シート
７０  機能層（帯電防止層、反射防止層、防眩層等）
９５  プリズム
１０１  光拡散部材
１０２  単位凸レンズ
１０３  ハエの目レンズ
１０４  遮光パターン
１０５  遮光部
１０６  光透過層
１１０，１１１  透過型スクリーン
１２１，１２２  フレネルレンズシート
ＯＡ  凸シリンドリカルレンズの光軸
Ｌ１ 、Ｌ２   凸シリンドリカルレンズの光軸近傍に入射した光
Ｌ３ 、Ｌ４   凸シリンドリカルレンズの幅方向の端に入射した光
Ｆ１   凸シリンドリカルレンズの光軸近傍に入射した光の集光点
Ｆ２   凸シリンドリカルレンズの幅方向の端に入射した光の集光点
【図１】
2006309150.tif 000030
【図２】
2006309150.tif 000031
【図３】
2006309150.tif 000032
【図４】
2006309150.tif 000033
【図５】
2006309150.tif 000034
【図６】
2006309150.tif 000035
【図７】
2006309150.tif 000036
【図８】
2006309150.tif 000037
【図９】
2006309150.tif 000038
【図１０】
2006309150.tif 000039
【図１１】
2006309150.tif 000040
【図１２】
2006309150.tif 000041
【図１３】
2006309150.tif 000042
【図１４】
2006309150.tif 000043